(57)【特許請求の範囲】
【請求項１】
被写体像を撮像して画像データを出力する撮像手段と、
前記撮像手段から出力された画像データを画像処理する画像処理手段と、
第１の動作指示に基づいて、撮像指示ごとに前記撮像手段から出力される画像データを前記画像処理手段による画像処理をしないで生成された単一の非処理画像を記録する第１の撮影制御手段と、
第２の動作指示に基づいて、撮像指示ごとに前記撮像手段から出力される画像データに対して前記画像処理手段による画像処理をして生成された単一の処理済画像を記録する第２の撮影制御手段と、
第３の動作指示に基づいて、撮像指示に応じて前記撮像手段から出力される単一の画像データに対して、前記第２の撮影制御手段で行なう前記画像処理のうち少なくとも色に関する画像処理についての複数の異なる処理パラメータを準備するブラケティング制御手段と、
前記第１の動作指示および前記第３の動作指示の双方が行われたとき、前記第１の動作に代えて前記第２の動作指示とし、前記第２の動作指示および前記第３の動作指示を行ない複数の処理済画像を記録する指示制御手段とを備えることを特徴とする電子カメラ。
【発明の詳細な説明】
【０００１】
【発明の属する技術分野】
本発明は、撮像素子などによって撮像された画像データを記録する電子カメラに関する。
【０００２】
【従来の技術】
電子カメラは、撮像された画像データに対する色温度調整の基準を変更して色調整を行うホワイトバランス（以下ＷＢとする）調整を行う。ＷＢ調整値を段階的に変化させ、それぞれのＷＢ調整値でＷＢ調整処理を施して複数の画像データを得るＷＢブラケティングを行うカメラが知られている。一方、画像データをメモリカードなどの記録媒体に記録する際に、撮像された画像データに対する画像処理を省きたいという要求がある。
【０００３】
【発明が解決しようとする課題】
ＷＢ調整は画像処理に含まれるので、画像処理を省くとＷＢ調整も省略される。このため、ＷＢブラケティングを行う設定と画像処理を省く設定とがともに行われると、画像処理後のデータを記録する動作と画像処理前のデータを記録する動作とが競合してしまう。画像処理前後のデータを両方記録すると、記録媒体の消費を早めてしまう。
【０００５】
【課題を解決するための手段】
請求項１に記載の発明による電子カメラは、被写体像を撮像して画像データを出力する撮像手段と、撮像手段から出力された画像データを画像処理する画像処理手段と、第１の動作指示に基づいて、撮像指示ごとに撮像手段から出力される画像データを画像処理手段による画像処理をしないで生成された単一の非処理画像を記録する第１の撮影制御手段と、第２の動作指示に基づいて、撮像指示ごとに撮像手段から出力される画像データに対して画像処理手段による画像処理をして生成された単一の処理済画像を記録する第２の撮影制御手段と、第３の動作指示に基づいて、撮像指示に応じて前記撮像手段から出力される単一の画像データに対して、第２の撮影制御手段で行なう画像処理のうち少なくとも色に関する画像処理についての複数の異なる処理パラメータを準備するブラケティング制御手段と、第１の動作指示および第３の動作指示の双方が行われたとき、第１の動作に代えて第２の動作指示とし、第２の動作指示および第３の動作指示を行ない複数の処理済画像を記録する指示制御手段とを備えることを特徴とする。
【０００６】
【発明の実施の形態】
以下、図面を参照して本発明の実施の形態を説明する。
（第一の実施の形態）
図１は、本発明の第一の実施の形態による電子カメラの構成を示すブロック図である。図１において、ＣＣＤなどで構成される撮像素子１２１は、被写体像を撮像して画像信号を出力する。Ａ／Ｄ変換回路１２２は、撮像素子１２１から出力されるアナログ画像信号をデジタル信号に変換する。ＡＳＩＣなどで構成される画像処理回路１２３は、デジタル画像信号に対してホワイトバランス（ＷＢ）調整などの画像処理、画像処理後の画像データを所定の形式で圧縮する圧縮処理、圧縮されたデータを伸長する伸長処理などを行う。タイミング回路１２４は、タイミング信号を発生して撮像素子１２１およびＡ／Ｄ変換回路１２２に駆動信号を出力する。バッファメモリ１２５は、画像処理、圧縮処理および伸長処理など、各種の処理を施す画像データを一時的に格納するメモリである。メモリカードなどの記録媒体１２６は、圧縮処理後の画像データが記録されるもので、電子カメラに対して着脱可能に構成されている。
【０００７】
演算回路１０１は、電子カメラの測距演算や測光時のアペックス演算などの各種演算と、カメラ動作のシーケンス制御とを行う。測光装置１０２は、被写体の輝度を検出して検出信号を演算回路１０１に出力する。焦点検出装置１０３は、不図示の撮影レンズによる焦点位置の調節状態を検出し、検出信号を演算回路１０１へ出力する。レンズ駆動装置１０４は、演算回路１０１の指令により不図示の撮影レンズを構成するフォーカスレンズを光軸方向に進退駆動し、撮影レンズの焦点位置を調節する。
【０００８】
表示装置１１２は、電子カメラの設定内容を示す情報を文字やマークで表示する。表示装置１１２には、シャッタ速度、絞り値などの撮影情報も表示される。
【０００９】
ＷＢブラケティング設定操作部材１１３は、たとえば、ダイヤルスイッチで構成され、ダイヤルの回転操作に応じてＷＢブラケティングを設定／解除する操作信号を交互に出力する。ＷＢブラケティングは、撮像された画像データに対する色温度調整の基準を変更してＷＢ調整値を段階的に変化させ、それぞれのＷＢ調整値を用いてＷＢ調整した複数の画像を得るものである。本実施の形態では、ＷＢ調整値を３段階に変化させて３つの画像データを得る。つまり、撮像素子１２１から出力された画像データに３通りのＷＢ調整を行う。ここで、ＷＢ調整値の変更は、たとえば、ミレッド値の変更によって行われる。ミレッド値を＋方向に変更すると画像の色が青みがかり、−方向に変更すると画像の色が赤みがかる。ＷＢブラケティングを設定して撮影を行うと、カメラにあらかじめ設定されているＷＢ調整値による画像、この画像に対して青みがかった画像および赤みがかった画像の計３画像の画像データが記録媒体１２６に記録される。
【００１０】
画質モード選択操作部材１１４は、たとえば、ダイヤルスイッチで構成され、ダイヤルの回転操作に応じて画像処理回路１２３に以下の指示を行う。すなわち、記録媒体１２６に画像データを記録する際の記録画質を変更するために、画像処理回路１２３に画像処理の要否および圧縮処理時の圧縮率を指示する。記録画質は、たとえば、次の５通りに変更可能に構成されている。画質▲１▼側が高画質であり、画質▲５▼側が低画質である。
画質▲１▼画像データに画像処理を施さずに記録する「ＲＡＷ」
画質▲２▼画像処理後の画像データを非圧縮で記録する「ＴＩＦＦ」
画質▲３▼画像処理後の画像データを圧縮率約１／４で記録する「ＦＩＮＥ」
画質▲４▼画像処理後の画像データを圧縮率約１／８で記録する「ＮＯＲＭＡＬ」
画質▲５▼画像処理後の画像データを圧縮率約１／１６で記録する「ＢＡＳＩＣ」
【００１１】
シャッタ駆動回路１０５は、シャッタ１０６の不図示の先幕および後幕の保持および解除をそれぞれ制御する。絞り位置検出装置１１０は、絞り値に対応する絞り位置を検出して検出信号を演算回路１０１に出力する。絞り係止装置１１１は、駆動中の絞りを係止し、所定の絞り値で絞りを停止させる。
【００１２】
モータ駆動回路１０７は、演算回路１０１の指令によってシーケンスモータ１０８を駆動制御する。シーケンスモータ１０８は、不図示のシーケンス駆動装置を構成し、不図示のミラーのアップ／ダウン、不図示の絞りの駆動、およびシャッタ１０６のチャージなどを行う。シーケンススイッチ１０９は、上述したシーケンス駆動装置を構成し、シーケンスモータ１０８のブレーキ制御タイミングなどを発生するスイッチである。レリーズスイッチ１１５は、レリーズボタンによって構成され、レリーズ操作信号を演算回路１０１へ出力する。
【００１３】
本発明は、上述した電子カメラのＷＢブラケティングと上記記録画質▲１▼とを同時に設定することを禁止したものである。とくに、第一の実施の形態では、(1)電子カメラにＷＢブラケティングが設定されているとき、記録画質▲１▼、すなわち「ＲＡＷ」に設定を行うとＷＢブラケティングを解除し、(2)電子カメラに記録画質▲１▼「ＲＡＷ」が設定されているとき、ＷＢブラケティングの設定および解除を禁止することに特徴を有する。
【００１４】
電子カメラの演算回路１０１で行われるカメラ動作の処理について、図２および図３のフローチャートを参照して説明する。図２、図３によるプログラムは、電子カメラに不図示の電池が装填されると起動して繰り返される。図２のステップＳ１において、演算回路１０１は以下の初期設定を行う。すなわち、ＷＢブラケティングフラグＳに０を、画質モードパラメータＱに２を、ブラケティング記録回数パラメータｎに１を、それぞれセットしてステップＳ２へ進む。
【００１５】
ここで、ＷＢブラケティングフラグＳは、ＷＢブラケティングが設定されると１に、ＷＢブラケティングが解除されると０にセットされるフラグである。初期設定においては、ＷＢブラケティングが解除される。画質モードパラメータＱは、上述した記録画質▲１▼〜▲５▼に対応してそれぞれＱ＝５〜１がセットされる。初期設定では、記録画質が「ＮＯＲＭＡＬ」に設定される。ブラケティング記録回数パラメータｎは、ＷＢブラケティングによる複数の画像処理（ＷＢ調整処理）のうち、何画像目の画像処理を行っているかを示すパラメータである。本実施の形態によるＷＢブラケティングは、ＷＢ調整値を変えて３回画像処理を行うので、ｎは１、２、３のいずれかの値をとる。
【００１６】
ステップＳ２において、演算回路１０１は、設定処理を行ってステップＳ３へ進む。設定処理の詳細については後述する。ステップＳ３において、演算回路１０１は、測光装置１０２から入力される検出信号によって被写体輝度を演算する測光を行い、ステップＳ４へ進む。ステップＳ４において、演算回路１０１は、所定の露出演算処理を行ってステップＳ５へ進む。
【００１７】
ステップＳ５において、演算回路１０１は、表示処理を行ってステップＳ６へ進む。表示処理の詳細については後述する。ステップＳ６において、演算回路１０１は、焦点検出装置１０３に指令を送り、不図示の撮影レンズによる焦点位置の調節状態を検出させてステップＳ７へ進む。ステップＳ７において、演算回路１０１は、焦点検出装置１０３による検出結果に基づいてフォーカスレンズの駆動量を算出し、ステップＳ８へ進む。ステップＳ８において、演算回路１０１は、レンズ駆動装置１０４に指令を送り、フォーカスレンズを合焦位置に駆動させてステップＳ９へ進む。
【００１８】
ステップＳ９において、演算回路１０１は、レリーズスイッチ１１５が操作されたか否かを判定する。演算回路１０１は、レリーズスイッチ１１５から操作信号が入力された場合にステップＳ９を肯定判定してステップＳ１０へ進み、レリーズスイッチ１１５から操作信号が入力されない場合にステップＳ９を否定判定してステップＳ２へ戻る。
【００１９】
ステップＳ１０において、演算回路１０１は、シャッタ駆動回路１０５に指令を出力し、シャッタ１０６の不図示のマグネットに通電して先幕および後幕を保持させる。ステップＳ１１において、演算回路１０１は、モータ駆動回路１０７に指令を出力し、シーケンスモータ１０８に正転を開始させてステップＳ１２へ進む。これにより、不図示のミラーのミラーアップおよび絞りの絞り込みが開始される。ステップＳ１２において、演算回路１０１は、絞り位置検出装置１１０から入力される検出信号によるパルス数Ｐｋをカウントし、制御絞り値ＡＶｃに対応するパルス数Ｐｃとの間にＰｋ≧Ｐｃが成立するか否かを判定する。ここで、制御絞り値ＡＶｃは、ステップＳ４の露出演算処理で得られるものである。演算回路１０１は、Ｐｋ≧Ｐｃが成立する場合にステップＳ１２を肯定判定してステップＳ１３へ進み、Ｐｋ≧Ｐｃが成立しない場合にステップＳ１２を否定判定する。否定判定する場合には、絞り込みを継続してステップＳ１２の判定処理が繰り返される。
【００２０】
ステップＳ１３において、演算回路１０１は、絞り係止装置１１１に指令を出力して絞りを係止させ、ステップＳ１４へ進む。ステップＳ１４において、演算回路１０１は、ミラーアップが終了したか否かを判定する。演算回路１０１は、シーケンススイッチ１０９からオン信号が入力されるとステップＳ１４を肯定判定してステップＳ１５へ進み、シーケンススイッチ１０９からオン信号が入力されない場合はステップＳ１４を否定判定する。否定判定する場合には、ミラーアップを継続してステップＳ１４の判定処理が繰り返される。
【００２１】
ステップＳ１５において、演算回路１０１は、モータ駆動回路１０７に指令を出力し、シーケンスモータ１０８の正転を停止させてステップＳ１６へ進む。なお、ミラーアップの終了より先に絞り係止装置１１１によって絞りの係止が終了するように、不図示のシーケンス駆動装置が構成されている。ステップＳ１６において、演算回路１０１は、時間ｔｓの計時を開始してステップＳ１７へ進む。
ｔｓの初期値は０である。
【００２２】
ステップＳ１７において、演算回路１０１は、シャッタ駆動回路１０５に指令を出力し、シャッタ１０６の不図示のマグネットへの通電を解除して先幕保持を解除させ、ステップＳ１８へ進む。これによってシャッタ先幕の走行が開始される。ステップＳ１８において、演算回路１０１は、タイミング回路１２４に駆動信号の発生を開始させて撮像素子１２１の駆動を開始し、ステップＳ１９へ進む。この結果、撮像素子１２１は、撮像面に入射される被写体光の強さに応じて電荷蓄積を開始する。
【００２３】
ステップＳ１９において、演算回路１０１は、計時時間ｔｓと制御シャッタ速度時間Ｔｃとの間にｔｓ≧Ｔｃが成立するか否かを判定する。ここで、制御シャッタ速度時間Ｔｃは、ステップＳ４の露出演算処理で得られるものである。演算回路１０１は、ｔｓ≧Ｔｃが成立する場合にステップＳ１９を肯定判定してステップＳ２０へ進み、ｔｓ≧Ｔｃが成立しない場合にステップＳ１９を否定判定して判定処理を繰り返す。ステップＳ２０において、演算回路１０１は、シャッタ駆動回路１０５に指令を出力し、シャッタ１０６の不図示のマグネットへの通電を解除して後幕保持を解除させ、ステップＳ２１へ進む。これによってシャッタ後幕の走行が開始され、撮像素子１２１へ入射する被写体光が遮断される。
【００２４】
ステップＳ２１において、演算回路１０１は、所定時間のウエイトをおいてステップＳ２２へ進む。ウエイト時間は、後幕が撮像素子１２１の撮像領域を完全に遮光し、走行を完了するまでに要する時間とする。このウエイトの間、撮像素子１２１の撮像動作は継続される。ステップＳ２２において、演算回路１０１は、時間ｔｓの計時を停止するとともに、タイミング回路１２４による撮像素子１２１の駆動を停止させてステップＳ２３へ進む。この結果、撮像素子１２１は、電荷蓄積を終了する。
【００２５】
ステップＳ２３において、演算回路１０１は、モータ駆動回路１０７に指令を出力し、シーケンスモータ１０８に逆転を開始させてステップＳ２４へ進む。これにより、不図示のミラーのミラーダウンおよび絞りの開放復帰が開始される。ステップＳ２４において、演算回路１０１は、タイミング回路１２４に指令を出力し、撮像素子１２１から画像信号の読み出しを開始させ、図３のステップＳ２５へ進む。これにより、撮像素子１２１から蓄積電荷による画像信号が出力され、Ａ／Ｄ変換回路１２２でデジタルデータに変換される。
【００２６】
図３のステップＳ２５において、演算回路１０１は、画質モードパラメータＱが５か否かを判定する。演算回路１０１は、パラメータＱ＝５の場合にステップＳ２５を肯定判定してステップＳ３０へ進む。この場合は、画像データに画像処理を施さずに記録する「ＲＡＷ」、すなわち、上記記録画質▲１▼が設定されている場合である。一方、演算回路１０１は、パラメータＱ≠５の場合にステップＳ２５を否定判定してステップＳ２６へ進む。この場合は、画像処理を施した画像データを記録する記録画質▲２▼〜▲５▼のいずれかの場合である。
【００２７】
ステップＳ２６において、演算回路１０１は、ブラケティング記録回数パラメータｎが１か否かを判定する。演算回路１０１は、パラメータｎ＝１の場合にステップＳ２６を肯定判定してステップＳ２７へ進み、パラメータｎ＝２、３の場合にステップＳ２６を否定判定してステップＳ３８へ進む。ステップＳ２７へ進む場合は、ＷＢブラケティング設定時の１画像目の画像処理、もしくはＷＢブラケティングが解除されている場合である。ステップＳ３８へ進む場合は、ＷＢブラケティング設定時に２画像目もしくは３画像目の画像処理を行う場合である。
【００２８】
ステップＳ２７において、演算回路１０１は、デジタル画像信号を画像処理回路１２３へ送り、画像処理を指示してステップＳ２８へ進む。ステップＳ２８において、演算回路１０１は、画質モードパラメータＱが４か否かを判定する。演算回路１０１は、パラメータＱ＝４の場合にステップＳ２８を肯定判定してステップＳ３０へ進み、パラメータＱ＝１〜３の場合にステップＳ２８を否定判定してステップＳ２９へ進む。ステップＳ３０に進む場合は、画像データに圧縮処理を施さずに記録する「ＴＩＦＦ」、すなわち、上記記録画質▲２▼が設定されている場合である。ステップＳ２９に進む場合は、画像データに圧縮処理を施して記録する記録画質▲３▼〜▲５▼のいずれかに設定されている場合である。
【００２９】
ステップＳ２９において、演算回路１０１は、画像処理回路１２３に圧縮処理を指示してステップＳ３０へ進む。ステップＳ３０において、演算回路１０１は、画像データを記録媒体１２６に記録してステップＳ３１へ進む。
【００３０】
ステップＳ３１において、演算回路１０１は、ブラケティング記録回数パラメータｎ＝１か否かを判定する。演算回路１０１は、パラメータｎ＝１の場合にステップＳ３１を肯定判定してステップＳ３２へ進む。この場合は、ＷＢブラケティング設定時の１画像目の画像処理、もしくはＷＢブラケティングが解除されている場合である。一方、演算回路１０１は、パラメータｎ＝２、３の場合にステップＳ３１を否定判定してステップＳ３５へ進む。この場合は、ＷＢブラケティング設定時に２画像目もしくは３画像目の画像処理を行う場合である。
【００３１】
ステップＳ３２において、演算回路１０１は、ミラーダウンが終了したか否かを判定する。演算回路１０１は、シーケンススイッチ１０９からオン信号が入力されるとステップＳ３２を肯定判定してステップＳ３３へ進み、シーケンススイッチ１０９からオン信号が入力されない場合は、ステップＳ３２を否定判定してステップＳ３２の判定処理を繰り返す。
【００３２】
ステップＳ３３において、演算回路１０１は、モータ駆動回路１０７に指令を出力し、シーケンスモータ１０８の逆転を停止させてステップＳ３４へ進む。ステップＳ３４において、演算回路１０１は、ＷＢブラケティングフラグＳ＝１か否かを判定する。演算回路１０１は、Ｓ＝１（ＷＢブラケティングが設定されている）の場合にステップＳ３４を肯定判定してステップＳ３５へ進み、Ｓ＝０（ＷＢブラケティングが解除されている）の場合にステップＳ３４を否定判定して図２のステップＳ２へ戻る。ステップＳ２へ戻る場合は、一連の撮影処理が終了した場合である。
【００３３】
ステップＳ３５において、演算回路１０１は、ブラケティング記録回数パラメータｎ＝３か否かを判定する。演算回路１０１は、パラメータｎ＝３の場合にステップＳ３５を肯定判定してステップＳ３６へ進み、パラメータｎ＝２の場合にステップＳ３５を否定判定してステップＳ３７へ進む。ステップＳ３６へ進む場合は、ＷＢブラケティング設定時の３画像の画像処理が終了している場合である。ステップＳ３６において、演算回路１０１は、ブラケティング記録回数パラメータｎに１をセットし、図２のステップＳ２へ戻る。これにより、一連の撮影処理が終了する。
【００３４】
ステップＳ３７へ進む場合は、ＷＢブラケティング設定時に２画像目もしくは３画像目の画像処理を行う場合である。ステップＳ３７において、演算回路１０１は、ブラケティング記録回数パラメータｎに１を加えてステップＳ３８へ進む。ステップＳ３８において、演算回路１０１は、ブラケティング記録回数パラメータｎ＝２か否かを判定する。演算回路１０１は、パラメータｎ＝２の場合にステップＳ３８を肯定判定してステップＳ３９へ進む。この場合は、ＷＢブラケティング設定時に２画像目の画像処理を行う場合である。ステップＳ３９において、演算回路１０１は、画像処理回路１２３に指令を出力し、ミレッド値を基準値から−方向に所定量変更して画像処理を指示し、ステップＳ２８へ戻る。これにより、ＷＢの基準色温度を低くした画像処理が行われる。
【００３５】
一方、演算回路１０１は、パラメータｎ＝３の場合にステップＳ３８を否定判定してステップＳ４０へ進む。この場合は、ＷＢブラケティング設定時に３画像目の画像処理を行う場合である。ステップＳ４０において、演算回路１０１は、画像処理回路１２３に指令を出力し、ミレッド値を基準値から＋方向に所定量変更して画像処理を指示し、ステップＳ２８へ戻る。これにより、ＷＢの基準色温度を高くした画像処理が行われる。
【００３６】
設定処理の詳細について、図４のフローチャートを参照して説明する。ステップＳ１０１において、演算回路１０１は、画質モード選択操作部材１１４が操作されたか否かを判定する。演算回路１０１は、画質モード選択操作部材１１４から操作信号が入力された場合にステップＳ１０１を肯定判定してステップＳ１０２へ進み、操作信号が入力されない場合にステップＳ１０１を否定判定してステップＳ１１１へ進む。
【００３７】
ステップＳ１０２において、演算回路１０１は、記録画質を高画質側へ設定する操作か否かを判定する。演算回路１０１は、画質モード設定操作部材１１４からの入力信号がアップ回転を示す場合にステップＳ１０２を肯定判定してステップＳ１０３へ進み、入力信号がアップ回転を示さない場合にステップＳ１０２を否定判定してステップＳ１０８へ進む。ここで、アップ回転は、たとえば、時計回り方向の回転である。
【００３８】
ステップＳ１０３において、演算回路１０１は、画質モードパラメータＱ＝５か否かを判定する。演算回路１０１は、Ｑ＝５（記録画質がＲＡＷ）の場合にステップＳ１０３を肯定判定してステップＳ１０５へ進み、Ｑ≠５の場合にステップＳ１０３を否定判定してステップＳ１０４へ進む。ステップＳ１０５へ進む理由は、Ｑ＝５より高画質の設定がないためである。ステップＳ１０４において、演算回路１０１は、Ｑに１を加えてステップＳ１０５へ進む。これにより、記録画質が高画質側に１段階変更される。
【００３９】
ステップＳ１０８において、演算回路１０１は、記録画質を低画質側へ設定する操作か否かを判定する。演算回路１０１は、画質モード設定操作部材１１４からの入力信号がダウン回転を示す場合にステップＳ１０８を肯定判定してステップＳ１０９へ進み、入力信号がダウン回転を示さない場合にステップＳ１０８を否定判定してステップＳ１０５へ進む。ここで、ダウン回転は、たとえば、反時計回り方向の回転である。
【００４０】
ステップＳ１０９において、演算回路１０１は、画質モードパラメータＱ＝１か否かを判定する。演算回路１０１は、Ｑ＝１（記録画質がＢＡＳＩＣ）の場合にステップＳ１０９を肯定判定してステップＳ１０５へ進み、Ｑ≠１の場合にステップＳ１０９を否定判定してステップＳ１１０へ進む。ステップＳ１０５へ進む理由は、Ｑ＝１より低画質の設定がないためである。ステップＳ１１０において、演算回路１０１は、Ｑから１を引いてステップＳ１０５へ進む。これにより、記録画質が低画質側に１段階変更される。
【００４１】
ステップＳ１０５において、演算回路１０１は、ＷＢブラケティングフラグＳ＝１か否かを判定する。演算回路１０１は、Ｓ＝１（ＷＢブラケティングが設定されている）の場合にステップＳ１０５を肯定判定してステップＳ１０６へ進み、Ｓ＝０（ＷＢブラケティングが解除されている）の場合にステップＳ１０５を否定判定して図４の処理を終了し、図２のステップＳ３へ進む。
【００４２】
ステップＳ１０６において、演算回路１０１は、画質モードパラメータＱ＝５か否かを判定する。演算回路１０１は、Ｑ＝５（記録画質がＲＡＷ）の場合にステップＳ１０６を肯定判定してステップＳ１０７へ進み、Ｑ≠５の場合にステップＳ１０６を否定判定して図４の処理を終了し、図２のステップＳ３へ進む。
【００４３】
ステップＳ１０７において、演算回路１０１は、ＷＢブラケティングを解除するとともにＷＢブラケティングフラグＳに０をセットし、図４の処理を終了して図２のステップＳ３へ進む。これにより、電子カメラがＷＢブラケティングに設定されている状態で記録画質▲１▼、すなわち「ＲＡＷ」が設定されると、ＷＢブラケティングが自動的に解除される。
【００４４】
一方、ステップＳ１０１が否定判定されて進むステップＳ１１１において、演算回路１０１は、画質モードパラメータＱ＝５か否かを判定する。演算回路１０１は、Ｑ＝５（記録画質がＲＡＷ）の場合にステップＳ１１１を肯定判定して図４による処理を終了し、図２のステップＳ３へ進む。すなわち、電子カメラに記録画質▲１▼、すなわち「ＲＡＷ」が設定されている状態では、ＷＢブラケティングを設定および解除する操作が禁止される。演算回路１０１は、Ｑ≠５の場合にステップＳ１１１を否定判定してステップＳ１１２に進む。
【００４５】
ステップＳ１１２において、演算回路１０１は、ＷＢブラケティング設定操作部材１１３が操作されたか否かを判定する。演算回路１０１は、ＷＢブラケティング設定操作部材１１３から操作信号が入力された場合にステップＳ１１２を肯定判定してステップＳ１１３へ進み、操作信号が入力されない場合にステップＳ１１２を否定判定して図４による処理を終了し、図２のステップＳ３へ進む。
【００４６】
ステップＳ１１３において、演算回路１０１は、ＷＢブラケティングフラグＳ＝０か否かを判定する。演算回路１０１は、Ｓ＝０（ＷＢブラケティングが解除されている）の場合にステップＳ１１３を肯定判定してステップＳ１１４へ進み、Ｓ＝１（ＷＢブラケティングが設定されている）の場合にステップＳ１１３を否定判定してステップＳ１１５へ進む。
【００４７】
ステップＳ１１４において、演算回路１０１は、ＷＢブラケティングを設定するとともにＷＢブラケティングフラグＳに１をセットし、図４の処理を終了して図２のステップＳ３へ進む。ステップＳ１１５において、演算回路１０１は、ＷＢブラケティングを解除するとともにＷＢブラケティングフラグＳに０をセットし、図４の処理を終了して図２のステップＳ３へ進む。このように、電子カメラに記録画質▲１▼、すなわち「ＲＡＷ」が設定されていない状態において、ＷＢブラケティングを設定および解除する操作が許可される。
【００４８】
表示処理の詳細について、図５のフローチャートを参照して説明する。ステップＳ２０１において、演算回路１０１は、ＷＢブラケティングフラグＳ＝１か否かを判定する。演算回路１０１は、Ｓ＝１（ＷＢブラケティングが設定されている）の場合にステップＳ２０１を肯定判定してステップＳ２０２へ進み、Ｓ＝０（ＷＢブラケティングが解除されている）の場合にステップＳ２０１を否定判定してステップＳ２０３へ進む。
【００４９】
ステップＳ２０２において、演算回路１０１は、シャッタ速度および絞り値を示す値と、画質モード（記録画質）およびＷＢブラケティング設定を示すマークなどの表示をそれぞれ表示装置１１２に表示させて図５による処理を終了し、図２のステップＳ６へ進む。ステップＳ２０３において、演算回路１０１は、シャッタ速度および絞り値を示す値と、画質モード（記録画質）を示す表示を表示装置１１２にそれぞれ表示させて図５による処理を終了し、図２のステップＳ６へ進む。
【００５０】
以上説明した第一の実施の形態による電子カメラでは、次の作用効果が得られる。
（１）電子カメラにＷＢブラケティングが設定されている（ステップＳ１０５を肯定判定）状態で、記録画質▲１▼、すなわち「ＲＡＷ」が設定される（ステップＳ１０６を肯定判定）と、ＷＢブラケティングを解除（ステップＳ１０７）するようにしたので、画像処理を行う動作（ＷＢブラケティング）と画像処理を行わない動作（記録画質▲１▼「ＲＡＷ」）とが択一的に行われ、お互いの動作が競合することを防止できる。この結果、画像処理をする前の画像データとＷＢブラケティングで画像処理された複数の画像データとがともに記録媒体１２６に記録されることがなくなり、記録媒体１２６の消費を抑えることができる。
（２）電子カメラに記録画質▲１▼「ＲＡＷ」が設定されている（ステップＳ１１１を肯定判定）状態で、ＷＢブラケティングを設定および解除する操作を禁止（図４による処理を終了）するようにしたので、画像処理を行う動作（ＷＢブラケティング）と画像処理を行わない動作（記録画質▲１▼「ＲＡＷ」）とが競合することを防止できる。この結果、画像処理前後の画像データが記録媒体１２６に記録されることがなくなり、記録媒体１２６の消費を抑えることができる。
【００５１】
（第二の実施の形態）
第二の実施の形態による電子カメラは、(1)電子カメラに記録画質▲１▼、すなわち「ＲＡＷ」が設定されているとき、ＷＢブラケティングを設定すると記録画質▲１▼（ＲＡＷ）から記録画質▲２▼「ＴＩＦＦ」に設定変更し、(2)電子カメラにＷＢブラケティングが設定されているとき、記録画質▲１▼「ＲＡＷ」を設定することを禁止する。図６は、第二の実施の形態による設定処理の詳細を説明するフローチャートであり、第一の実施の形態による図４の処理に代えて実行される。
【００５２】
図６の処理では、図４に比べて、ステップＳ１０３およびステップＳ１０４の間にステップＳ３０１、ステップＳ３０２がそれぞれ追加され、ステップＳ１１４以降にステップＳ３０３、ステップＳ３０４がそれぞれ追加される。一方、図４に比べて、ステップＳ１０５〜ステップＳ１０７、ならびにステップＳ１１１が省略される。なお、図４と同一の処理には共通のステップ番号を付して説明を省略する。
【００５３】
ステップＳ３０１において、演算回路１０１は、ＷＢブラケティングフラグＳ＝１か否かを判定する。演算回路１０１は、Ｓ＝１（ＷＢブラケティングが設定されている）の場合にステップＳ３０１を肯定判定してステップＳ３０２へ進み、Ｓ＝０（ＷＢブラケティングが解除されている）の場合にステップＳ３０１を否定判定してステップＳ１０４へ進む。
【００５４】
ステップＳ３０２において、演算回路１０１は、画質モードパラメータＱ＝４か否かを判定する。演算回路１０１は、Ｑ＝４（記録画質がＴＩＦＦ）の場合にステップＳ３０２を肯定判定して図６による処理を終了し、図２のステップＳ３へ進む。この結果、電子カメラにＷＢブラケティングが設定されていると、記録画質▲２▼、すなわち「ＴＩＦＦ」から記録画質▲１▼「ＲＡＷ」への変更操作が禁止される。一方、演算回路１０１は、Ｑ≠４の場合にステップＳ３０２を否定判定してステップＳ１０４に進む。この場合には、記録画質が高画質側に１段階変更される。
【００５５】
ステップＳ１１４でＷＢブラケティングが設定された後のステップＳ３０３において、演算回路１０１は、画質モードパラメータＱ＝５か否かを判定する。演算回路１０１は、Ｑ＝５（記録画質がＲＡＷ）の場合にステップＳ３０３を肯定判定してステップＳ３０４へ進み、Ｑ≠５の場合にステップＳ３０３を否定判定して図６による処理を終了し、図２のステップＳ３へ進む。ステップＳ３０４において、演算回路１０１は記録画質▲２▼、すなわち「ＴＩＦＦ」を設定するとともに、Ｑに４をセットして図６による処理を終了し、図２のステップＳ３へ進む。この結果、電子カメラに記録画質▲１▼「ＲＡＷ」が設定されている状態でＷＢブラケティングが設定されると、記録画質▲１▼「ＲＡＷ」から記録画質▲２▼「ＴＩＦＦ」に自動的に設定変更される。
【００５６】
以上説明したように第二の実施の形態によれば、次の作用効果が得られる。
（１）電子カメラにＷＢブラケティングが設定される（ステップＳ１１４）と、記録画質▲１▼「ＲＡＷ」が設定されている場合（ステップＳ３０３を肯定判定）に記録画質▲１▼「ＲＡＷ」から記録画質▲２▼「ＴＩＦＦ」に設定変更する（ステップＳ３０４）ようにしたので、画像処理を行う動作（ＷＢブラケティング）と画像処理を行わない動作（記録画質▲１▼「ＲＡＷ」）とが択一的に行われ、お互いの動作が競合することを防止できる。この結果、第一の実施の形態と同様に、画像処理前後の画像データが記録媒体１２６に記録されることがなくなり、記録媒体１２６の消費を抑えることができる。
（２）電子カメラにＷＢブラケティングが設定されている（ステップＳ３０１を肯定判定）状態で、記録画質▲２▼「ＴＩＦＦ」から記録画質▲１▼「ＲＡＷ」へ変更する操作を禁止（ステップＳ３０２を肯定判定して図６による処理を終了）するようにしたので、画像処理を行う動作（ＷＢブラケティング）と画像処理を行わない動作（記録画質▲１▼「ＲＡＷ」）とが競合することを防止できる。この結果、第一の実施の形態と同様に、画像処理前後の画像データが記録媒体１２６に記録されることがなくなり、記録媒体１２６の消費を抑えることができる。
【００５７】
（第三の実施の形態）
第三の実施の形態による電子カメラは、(1)電子カメラにＷＢブラケティングが設定されているとき、記録画質▲１▼、すなわち「ＲＡＷ」へ設定することを禁止し、(2)電子カメラに記録画質▲１▼「ＲＡＷ」が設定されているとき、ＷＢブラケティングを設定および解除することを禁止する。図７は、第三の実施の形態による設定処理の詳細を説明するフローチャートであり、第一の実施の形態の図４による処理に代えて実行される。
【００５８】
図７の処理では、図４に比べて、ステップＳ１０３およびステップＳ１０４の間にステップＳ３０１、ステップＳ３０２がそれぞれ追加され、ステップＳ１０５〜ステップＳ１０７が省略される。ステップＳ３０１およびステップＳ３０２は、第二の実施の形態の図６で追加された処理と同じである。なお、図４と同一の処理には共通のステップ番号を付して説明を省略する。
【００５９】
以上説明した第三の実施の形態によれば、電子カメラにＷＢブラケティングが設定されている（ステップＳ３０１を肯定判定）状態で、記録画質▲２▼、すなわち「ＴＩＦＦ」から記録画質▲１▼、すなわち「ＲＡＷ」へ設定する操作を禁止（ステップＳ３０２を肯定判定して図７による処理を終了）する一方、電子カメラに記録画質▲１▼「ＲＡＷ」が設定されている（ステップＳ１１１を肯定判定）状態で、ＷＢブラケティングを設定および解除する操作を禁止（図７による処理を終了）するようにしたので、画像処理を行う動作（ＷＢブラケティング）と画像処理を行わない動作（記録画質▲１▼「ＲＡＷ」）とが択一的に行われ、お互いの動作が競合することを防止できる。この結果、第一の実施の形態と同様に、画像処理前後の画像データが記録媒体１２６に記録されることがなくなり、記録媒体１２６の消費を抑えることができる。さらに、撮影者による設定変更操作を行わない限り、記録画質▲１▼「ＲＡＷ」→記録画質▲２▼「ＴＩＦＦ」、ＷＢブラケティング設定→ＷＢブラケティング解除の変更を行わないので、撮影者の意図に反して設定が変更されることを防止できる。
【００６０】
（第四の実施の形態）
第四の実施の形態による電子カメラは、(1)電子カメラに記録画質▲１▼、すなわち「ＲＡＷ」が設定されているとき、ＷＢブラケティングを設定することを禁止し、(2)電子カメラにＷＢブラケティングが設定されているとき、記録画質▲１▼「ＲＡＷ」が設定されるとＷＢブラケティングを解除する。図８は、第四の実施の形態による設定処理の詳細を説明するフローチャートであり、第一の実施の形態による図４の処理に代えて実行される。
【００６１】
図８の処理では、図４に比べて、ステップＳ１０５〜ステップＳ１０７の代わりにステップＳ５０１〜ステップＳ５０３が設けられ、ステップＳ１１１が省略される。ステップＳ１１４およびステップＳ１１５の処理を終えると、それぞれステップＳ５０１へ進む。なお、図４と同一の処理には共通のステップ番号を付して説明を省略する。
【００６２】
ステップＳ５０１において、演算回路１０１は、画質モードパラメータＱ＝５か否かを判定する。演算回路１０１は、Ｑ＝５（記録画質がＲＡＷ）の場合にステップＳ５０１を肯定判定してステップＳ５０２へ進み、Ｑ≠５の場合にステップＳ５０１を否定判定して図８による処理を終了し、図２のステップＳ３へ進む。
【００６３】
ステップＳ５０２において、演算回路１０１は、ＷＢブラケティングフラグＳ＝１か否かを判定する。演算回路１０１は、Ｓ＝１（ＷＢブラケティングが設定されている）の場合にステップＳ５０２を肯定判定してステップＳ５０３へ進み、Ｓ＝０（ＷＢブラケティングが解除されている）の場合にステップＳ５０２を否定判定して図８による処理を終了し、図２のステップＳ３へ進む。
【００６４】
ステップＳ５０３において、演算回路１０１は、ＷＢブラケティングを解除するとともにＷＢブラケティングフラグＳに０をセットし、図８の処理を終了して図２のステップＳ３へ進む。このように、撮影者が電子カメラに記録画質▲１▼「ＲＡＷ」とＷＢブラケティングとを両方設定しようとする場合に、ＷＢブラケティングが自動的に解除される。
【００６５】
以上説明した第四の実施の形態による電子カメラでは、次の作用効果が得られる。
（１）電子カメラにＷＢブラケティングを設定（ステップＳ１１４）しても、記録画質▲１▼「ＲＡＷ」が設定されている（ステップＳ５０１を肯定判定）状態では無効にされる（ステップＳ５０３）ようにしたので、画像処理を行う動作（ＷＢブラケティング）と画像処理を行わない動作（記録画質▲１▼「ＲＡＷ」）とが競合することを防止できる。この結果、第一の実施の形態と同様に、画像処理前後の画像データが記録媒体１２６に記録されることがなくなり、記録媒体１２６の消費を抑えることができる。
（２）電子カメラに記録画質▲１▼「ＲＡＷ」が設定されている（ステップＳ５０１を肯定判定）状態で、ＷＢブラケティングが設定される（ステップＳ５０２を肯定判定）と、ＷＢブラケティングを解除（ステップＳ５０３）するようにしたので、画像処理を行う動作（ＷＢブラケティング）と画像処理を行わない動作（記録画質▲１▼「ＲＡＷ」）とが択一的に行われ、お互いの動作が競合することを防止できる。この結果、第一の実施の形態と同様に、画像処理前後の画像データが記録媒体１２６に記録されることがなくなり、記録媒体１２６の消費を抑えることができる。
【００６６】
（第五の実施の形態）
第五の実施の形態による電子カメラは、(1)電子カメラにＷＢブラケティングが設定されているとき、記録画質▲１▼、すなわち「ＲＡＷ」を設定することを禁止し、(2)電子カメラに記録画質▲１▼「ＲＡＷ」が設定されているとき、ＷＢブラケティングが設定されると記録画質▲１▼「ＲＡＷ」から記録画質▲２▼「ＴＩＦＦ」に設定変更する。図９は、第五の実施の形態による設定処理の詳細を説明するフローチャートであり、第一の実施の形態による図４の処理に代えて実行される。
【００６７】
図９の処理では、図４に比べて、ステップＳ１０５〜ステップＳ１０７の代わりにステップＳ６０１〜ステップＳ６０３が設けられ、ステップＳ１１１が省略される。ステップＳ１１４およびステップＳ１１５の処理を終えると、それぞれステップＳ６０１へ進む。なお、図４と同一の処理には共通のステップ番号を付して説明を省略する。
【００６８】
ステップＳ６０１において、演算回路１０１は、ＷＢブラケティングフラグＳ＝１か否かを判定する。演算回路１０１は、Ｓ＝１（ＷＢブラケティングが設定されている）の場合にステップＳ６０１を肯定判定してステップＳ６０２へ進み、Ｓ＝０（ＷＢブラケティングが解除されている）の場合にステップＳ６０１を否定判定して図９による処理を終了し、図２のステップＳ３へ進む。
【００６９】
ステップＳ６０２において、演算回路１０１は、画質モードパラメータＱ＝５か否かを判定する。演算回路１０１は、Ｑ＝５（記録画質がＲＡＷ）の場合にステップＳ６０２を肯定判定してステップＳ６０３へ進み、Ｑ≠５の場合にステップＳ６０２を否定判定して図９による処理を終了し、図２のステップＳ３へ進む。
【００７０】
ステップＳ６０３において、演算回路１０１は記録画質▲２▼、すなわち「ＴＩＦＦ」を設定するとともに、Ｑに４をセットして図９による処理を終了し、図２のステップＳ３へ進む。このように、撮影者が電子カメラに記録画質▲１▼「ＲＡＷ」とＷＢブラケティングとを両方設定しようとする場合に、記録画質▲１▼「ＲＡＷ」から記録画質▲２▼「ＴＩＦＦ」に自動的に設定変更される。
【００７１】
以上説明した第五の実施の形態による電子カメラでは、次の作用効果が得られる。
（１）電子カメラに記録画質▲１▼「ＲＡＷ」を設定（ステップＳ１０３を肯定判定）しても、ＷＢブラケティングが設定されている（ステップＳ６０１を肯定判定）状態では無効にする（ステップＳ６０３）ようにしたので、画像処理を行う動作（ＷＢブラケティング）と画像処理を行わない動作（記録画質▲１▼「ＲＡＷ」）とが競合することを防止できる。この結果、第一の実施の形態と同様に、画像処理前後の画像データが記録媒体１２６に記録されることがなくなり、記録媒体１２６の消費を抑えることができる。
（２）電子カメラにＷＢブラケティングが設定される（ステップＳ１１４）と、記録画質▲１▼「ＲＡＷ」が設定されている場合（ステップＳ６０２を肯定判定）に記録画質▲１▼「ＲＡＷ」から記録画質▲２▼「ＴＩＦＦ」に設定変更する（ステップＳ６０３）ようにしたので、画像処理を行う動作（ＷＢブラケティング）と画像処理を行わない動作（記録画質▲１▼「ＲＡＷ」）とが択一的に行われ、お互いの動作が競合することを防止できる。この結果、第一の実施の形態と同様に、画像処理前後の画像データが記録媒体１２６に記録されることがなくなり、記録媒体１２６の消費を抑えることができる。
【００７２】
（第六の実施の形態）
図１０は、上述した第一の実施の形態による設定処理の変形例を説明するフローチャートである。図１０において、図４と同一の処理を行うステップは、図４と同一の符号を記して説明を省略する。ステップＳ３０３およびステップＳ３０４は、それぞれ図６の同一符号の処理と同一なので説明を省略する。
【００７３】
第六の実施の形態による処理では、電子カメラにＷＢブラケティングを設定する操作、および記録画質▲１▼「ＲＡＷ」を設定する操作の両方の操作が行われると、後から設定操作された方を優先し、先に設定されていた方を解除する。すなわち、(1)電子カメラにＷＢブラケティングが設定されている（ステップＳ１０５を肯定判定）状態で、記録画質▲１▼「ＲＡＷ」が設定される（ステップＳ１０６を肯定判定）と、ＷＢブラケティングを解除（ステップＳ１０７）し、(2)電子カメラにＷＢブラケティングを設定したとき（ステップＳ１１４）、記録画質▲１▼「ＲＡＷ」が設定されている（ステップＳ３０３を肯定判定）場合に記録画質▲１▼（ＲＡＷ）から記録画質▲２▼「ＴＩＦＦ」に設定変更（ステップＳ３０４）する。したがって、第一の実施の形態と同様に、画像処理を行う動作（ＷＢブラケティング）と画像処理を行わない動作（記録画質▲１▼「ＲＡＷ」）とが競合することを防止できる。
【００７４】
上記図１０のステップＳ３０３およびＳ３０４において、記録画質▲１▼「ＲＡＷ」から記録画質▲２▼「ＴＩＦＦ」に設定変更するようにした。この代わりに、記録画質▲１▼「ＲＡＷ」から記録画質▲３▼「ＦＩＮＥ」へ、記録画質▲１▼「ＲＡＷ」から記録画質▲４▼「ＮＯＲＭＡＬ」へ、および記録画質▲１▼「ＲＡＷ」から記録画質▲５▼「ＢＡＳＩＣ」へ、のいずれに設定変更してもよい。このことは、図６のステップＳ３０３およびステップＳ３０４、ならびに図９のステップＳ６０２およびステップＳ６０３においても同様である。
【００７５】
（第七の実施の形態）
第六の実施の形態において、先に設定されていた方を解除する場合に、解除する項目を示す表示セグメントを点滅表示させてもよい。図１１は、図１０による設定処理の変形例を説明するフローチャートである。図１０に比べて、ステップＳ１０５１およびステップＳ１０５２が追加されている点が異なるので、これら相違点を中心に説明する。
【００７６】
ステップＳ１０７の次に進むステップＳ１０５１において、演算回路１０１は、ＷＢブラケティング設定を示すマークなどの表示セグメントを表示装置１１２に所定時間点滅表示させ、点滅表示後に消灯させる。所定時間は、点滅表示を撮影者が認識できるように、たとえば、１０秒以内の時間があらかじめ設定されている。演算回路１０１は、ステップＳ１０５１の処理を終了すると図１１による処理を終了する。
【００７７】
ステップＳ３０４の次に進むステップＳ１０５２において、演算回路１０１は、記録画質▲１▼「ＲＡＷ」を示すマークなどの表示セグメントを表示装置１１２に所定時間点滅表示させ、点滅表示後に記録画質▲２▼「ＴＩＦＦ」を示すマークなどの表示セグメントを点灯表示させる。演算回路１０１は、ステップＳ１０５２の処理を終了すると図１１による処理を終了する。なお、ステップＳ１０５２において点滅表示後に点灯表示する表示セグメントは、記録画質▲１▼「ＲＡＷ」から設定変更した後の記録画質に対応する表示セグメントである。
【００７８】
第七の実施の形態による処理では、ＷＢブラケティングおよび記録画質▲１▼「ＲＡＷ」のうち、先に設定されていた方を解除する場合に、解除する側を示す表示セグメントを所定時間点滅させる（ステップＳ１０５１、ステップＳ１０５２）ようにした。したがって、撮影者に設定変更を警告することができる。
【００７９】
（第八の実施の形態）
第一の実施の形態において、先に設定されていたＷＢブラケティングを解除する場合や、ＷＢブラケティングを設定および解除する操作を禁止した場合に、ＷＢブラケティングを示す表示セグメントを点滅表示させてもよい。図１２は、図４による設定処理の変形例を説明するフローチャートである。図４に比べて、ステップＳ１００１およびステップＳ１００２が追加されている点が異なるので、これら相違点を中心に説明する。
【００８０】
ステップＳ１０７の次に進むステップＳ１００１において、演算回路１０１は、ＷＢブラケティング設定を示すマークなどの表示セグメントを表示装置１１２に所定時間点滅表示させ、点滅表示後に消灯させる。演算回路１０１は、ステップＳ１００１の処理を終了すると図１２による処理を終了する。
【００８１】
ステップＳ１１１を肯定判定して進むステップＳ１００２において、演算回路１０１は、ＷＢブラケティング設定操作部材１１３が操作されたか否かを判定する。演算回路１０１は、ＷＢブラケティング設定操作部材１１３から操作信号が入力された場合にステップＳ１００２を肯定判定してステップＳ１００１へ進み、操作信号が入力されない場合にステップＳ１００２を否定判定して図１２による処理を終了する。
【００８２】
第八の実施の形態による処理では、電子カメラにＷＢブラケティングが設定されている（ステップＳ１０５を肯定判定）状態で、記録画質▲１▼「ＲＡＷ」が設定される（ステップＳ１０６を肯定判定）と、ＷＢブラケティングを解除（ステップＳ１０７）する。この場合にＷＢブラケティング設定を示すマークなどの表示セグメントを所定時間点滅させる（ステップＳ１００１）。さらに、電子カメラに記録画質▲１▼「ＲＡＷ」が設定されている（ステップＳ１１１を肯定判定）状態で、ＷＢブラケティングを設定および解除する操作を禁止（図１２による処理を終了）する。この場合にもＷＢブラケティング設定を示すマークなどの表示セグメントを所定時間点滅させる（ステップＳ１００１）。この結果、撮影者に設定変更を警告したり、変更操作が禁止されていることを報知することができる。
【００８３】
（第九の実施の形態）
第二の実施の形態において、先に設定されていた記録画質▲１▼「ＲＡＷ」を記録画質▲２▼「ＴＩＦＦ」に設定変更する場合や、記録画質▲１▼「ＲＡＷ」への設定変更を禁止した場合に、記録画質を示す表示セグメントを点滅表示させてもよい。図１３は、図６による設定処理の変形例を説明するフローチャートである。図６に比べて、ステップＳ１０１１が追加されている点が異なるので、この相違点を中心に説明する。
【００８４】
ステップＳ３０２を肯定判定して進むステップＳ１０１１において、演算回路１０１は、記録画質▲１▼「ＲＡＷ」を示すマークなどの表示セグメントを表示装置１１２に所定時間点滅表示させ、点滅表示後に記録画質▲２▼「ＴＩＦＦ」を示す表示セグメントを点灯表示させる。演算回路１０１は、ステップＳ１０１１の処理を終了すると図１３による処理を終了する。なお、ステップＳ１０１１において点滅表示後に点灯表示する表示セグメントは、実際に設定されている記録画質に対応する表示セグメントである。
【００８５】
演算回路１０１は、ステップＳ３０４による処理を終了後にも、ステップＳ１０１１へ進む。
【００８６】
第九の実施の形態による処理では、電子カメラにＷＢブラケティングが設定された（ステップＳ１１４）とき、記録画質▲１▼「ＲＡＷ」が設定されている（ステップＳ３０３を肯定判定）場合に、記録画質▲２▼「ＴＩＦＦ」に設定変更（ステップＳ３０４）する。この場合に記録画質▲１▼「ＲＡＷ」を示すマークなどの表示セグメントを表示装置１１２に所定時間点滅表示させる（ステップＳ１０１１）。さらに、電子カメラにＷＢブラケティングが設定されている（ステップＳ３０１を肯定判定）状態で、記録画質▲１▼「ＲＡＷ」へ設定変更する操作を禁止（ステップＳ３０２を肯定判定）する。この場合にも記録画質▲１▼「ＲＡＷ」を示すマークなどの表示セグメントを所定時間点滅させる（ステップＳ１０１１）。この結果、撮影者に設定変更を警告したり、変更操作が禁止されていることを報知することができる。
【００８７】
（第十の実施の形態）
第三の実施の形態において、記録画質▲１▼「ＲＡＷ」への設定変更を禁止した場合や、ＷＢブラケティングを設定および解除する操作を禁止した場合に、禁止項目を示す表示セグメントを点滅表示させてもよい。図１４は、図７による設定処理の変形例を説明するフローチャートである。図７に比べて、ステップＳ１０２１〜ステップＳ１０２３が追加されている点が異なるので、これらの相違点を中心に説明する。
【００８８】
ステップＳ３０２を肯定判定して進むステップＳ１０２１において、演算回路１０１は、記録画質▲１▼「ＲＡＷ」を示すマークなどの表示セグメントを表示装置１１２に所定時間点滅表示させ、点滅表示後に記録画質▲２▼「ＴＩＦＦ」を示す表示セグメントを点灯表示させる。演算回路１０１は、ステップＳ１０２１の処理を終了すると図１４による処理を終了する。なお、ステップＳ１０２１において点滅表示後に点灯表示する表示セグメントは、実際に設定されている記録画質に対応する表示セグメントである。
【００８９】
ステップＳ１１１を肯定判定して進むステップＳ１０２２において、演算回路１０１は、ＷＢブラケティング設定操作部材１１３が操作されたか否かを判定する。演算回路１０１は、ＷＢブラケティング設定操作部材１１３から操作信号が入力された場合にステップＳ１０２２を肯定判定してステップＳ１０２３へ進み、操作信号が入力されない場合にステップＳ１０２２を否定判定して図１４による処理を終了する。
【００９０】
ステップＳ１０２３において、演算回路１０１は、ＷＢブラケティング設定を示すマークなどの表示セグメントを表示装置１１２に所定時間点滅表示させ、点滅表示後に消灯させる。演算回路１０１は、ステップＳ１０２３の処理を終了すると図１４による処理を終了する。
【００９１】
第十の実施の形態による処理では、電子カメラにＷＢブラケティングが設定されている（ステップＳ３０１を肯定判定）状態で、記録画質▲１▼「ＲＡＷ」へ設定変更する操作を禁止（ステップＳ３０２を肯定判定）する。この場合に記録画質▲１▼「ＲＡＷ」を示すマークなどの表示セグメントを表示装置１１２に所定時間点滅表示させる（ステップＳ１０２１）。さらに、電子カメラに記録画質▲１▼「ＲＡＷ」が設定されている（ステップＳ１１１を肯定判定）状態で、ＷＢブラケティングを設定および解除する操作を禁止（図１４による処理を終了）する。この場合には、ＷＢブラケティング設定を示すマークなどの表示セグメントを所定時間点滅させる（ステップＳ１０２３）。この結果、撮影者に変更操作が禁止されていることを報知することができる。
【００９２】
（第十一の実施の形態）
第四の実施の形態において、先に設定されていたＷＢブラケティングを解除する場合や、ＷＢブラケティングを設定および解除する操作を禁止した場合に、ＷＢブラケティングを示す表示セグメントを点滅表示させてもよい。図１５は、図８による設定処理の変形例を説明するフローチャートである。図８に比べて、ステップＳ１０３１が追加されている点が異なるので、この相違点を中心に説明する。
【００９３】
ステップＳ５０３の次に進むステップＳ１０３１において、演算回路１０１は、ＷＢブラケティング設定を示すマークなどの表示セグメントを表示装置１１２に所定時間点滅表示させ、点滅表示後に消灯させる。演算回路１０１は、ステップＳ１０３１の処理を終了すると図１４による処理を終了する。
【００９４】
第十一の実施の形態による処理では、電子カメラにＷＢブラケティングを設定（ステップＳ１１４）しても、画質▲１▼「ＲＡＷ」が設定されている（ステップＳ５０１を肯定判定）状態では無効にする（ステップＳ５０３）。この場合にＷＢブラケティング設定を示すマークなどの表示セグメントを所定時間点滅させる（ステップＳ１０３１）。さらに、電子カメラに記録画質▲１▼「ＲＡＷ」が設定されている（ステップＳ５０１を肯定判定）状態で、ＷＢブラケティングが設定される（ステップＳ５０２を肯定判定）と、ＷＢブラケティングを解除（ステップＳ５０３）する。この場合にもＷＢブラケティング設定を示すマークなどの表示セグメントを所定時間点滅させる（ステップＳ１０３１）。この結果、撮影者に設定解除を警告することができる。
【００９５】
（第十二の実施の形態）
第五の実施の形態において、先に設定されていた記録画質▲１▼「ＲＡＷ」を記録画質▲２▼「ＴＩＦＦ」に設定変更する場合や、記録画質▲１▼「ＲＡＷ」への設定変更を禁止した場合に、記録画質を示す表示セグメントを点滅表示させてもよい。図１６は、図９による設定処理の変形例を説明するフローチャートである。図９に比べて、ステップＳ１０４１が追加されている点が異なるので、この相違点を中心に説明する。
【００９６】
ステップＳ６０３の次に進むステップＳ１０４１において、演算回路１０１は、記録画質▲１▼「ＲＡＷ」を示すマークなどの表示セグメントを表示装置１１２に所定時間点滅表示させ、点滅表示後に記録画質▲２▼「ＴＩＦＦ」を示す表示セグメントを点灯表示させる。演算回路１０１は、ステップＳ１０４１の処理を終了すると図１６による処理を終了する。なお、ステップＳ１０４１において点滅表示後に点灯表示する表示セグメントは、実際に設定されている記録画質に対応する表示セグメントである。
【００９７】
第十二の実施の形態による処理では、電子カメラに記録画質▲１▼「ＲＡＷ」を設定（ステップＳ１０３を肯定判定）しても、ＷＢブラケティングが設定されている（ステップＳ６０１を肯定判定）状態では無効にする（ステップＳ６０３）ようにする。この場合に記録画質▲１▼「ＲＡＷ」を示すマークなどの表示セグメントを表示装置１１２に所定時間点滅表示させる（ステップＳ１０４１）。さらに、電子カメラにＷＢブラケティングが設定される（ステップＳ１１４）と、記録画質▲１▼「ＲＡＷ」が設定されている（ステップＳ６０２を肯定判定）場合に記録画質▲１▼「ＲＡＷ」から記録画質▲２▼「ＴＩＦＦ」に設定変更（ステップＳ６０３）する。この場合にも記録画質▲１▼「ＲＡＷ」を示すマークなどの表示セグメントを所定時間点滅させる（ステップＳ１０４１）。この結果、撮影者に変更操作が禁止されていることを報知したり、設定変更を警告することができる。
【００９８】
以上説明したステップＳ１００１、Ｓ１０１１、Ｓ１０２１、Ｓ１０２３、Ｓ１０３１、Ｓ１０４１、Ｓ１０５１、およびＳ１０５２の各処理において、ＷＢブラケティング設定を示す表示セグメント、ならびに記録画質を示す表示セグメントの双方を所定時間点滅表示させてもよい。この場合には、関連する項目を示す表示セグメントがともに点滅するので、撮影者にとって、どの設定のために何が設定できないかの判断がしやすくなる。
【００９９】
第一の実施の形態〜第十二の実施の形態では、ＷＢブラケティングの設定と記録画質▲１▼「ＲＡＷ」の設定とが競合しないようにした。この代わりに、ＷＢブラケティングの設定と記録画質▲１▼「ＲＡＷ」の設定とを同時に設定した上で、記録媒体１２６に画像データを記録する際に、ＷＢブラケティングによるＷＢ調整後の画像データを記録媒体１２６へ記録するか、あるいは、記録画質▲１▼「ＲＡＷ」による画像処理前の画像データを記録媒体１２６へ記録するかを択一的に切り換えるようにしてもよい。この場合にも、画像処理前後の画像データのうち一方を記録媒体１２６に記録することで、記録媒体１２６の消費を抑えることができる。
【０１０１】
【発明の効果】
本発明によれば、画像処理前の画像データおよび画像処理後の画像データのうち一方を記録するようにしたので、記録媒体の消費を抑えることができる。
【図面の簡単な説明】
【図１】本発明の第一の実施の形態による電子カメラの構成を示すブロック図である。
【図２】電子カメラの演算回路で行われるカメラ動作の処理の流れを説明するフローチャートである。
【図３】電子カメラの演算回路で行われるカメラ動作の処理の流れを説明するフローチャートのつづきである。
【図４】設定処理の流れを説明するフローチャートである。
【図５】表示処理の流れを説明するフローチャートである。
【図６】第二の実施の形態による設定処理の流れを説明するフローチャートである。
【図７】第三の実施の形態による設定処理の流れを説明するフローチャートである。
【図８】第四の実施の形態による設定処理の流れを説明するフローチャートである。
【図９】第五の実施の形態による設定処理の流れを説明するフローチャートである。
【図１０】第六の実施の形態による設定処理の流れを説明するフローチャートである。
【図１１】第七の実施の形態による設定処理の流れを説明するフローチャートである。
【図１２】第八の実施の形態による設定処理の流れを説明するフローチャートである。
【図１３】第九の実施の形態による設定処理の流れを説明するフローチャートである。
【図１４】第十の実施の形態による設定処理の流れを説明するフローチャートである。
【図１５】第十一の実施の形態による設定処理の流れを説明するフローチャートである。
【図１６】第十二の実施の形態による設定処理の流れを説明するフローチャートである。
【符号の説明】
１０１…演算回路、
１１３…ＷＢブラケティング設定操作部材、
１１４…画質モード選択操作部材、    １２１…撮像素子、
１２３…画像処理回路、              １２６…記録媒体
【図１】
0004727130.tif 000002
【図２】
0004727130.tif 000003
【図３】
0004727130.tif 000004
【図４】
0004727130.tif 000005
【図５】
0004727130.tif 000006
【図６】
0004727130.tif 000007
【図７】
0004727130.tif 000008
【図８】
0004727130.tif 000009
【図９】
0004727130.tif 000010
【図１０】
0004727130.tif 000011
【図１１】
0004727130.tif 000012
【図１２】
0004727130.tif 000013
【図１３】
0004727130.tif 000014
【図１４】
0004727130.tif 000015
【図１５】
0004727130.tif 000016
【図１６】
0004727130.tif 000017